(57)【要約】マルチキャリア電気通信システムの受信器で使用される自動利得制御の方法に関する。方法は、Ａ／Ｄコンバータによってデジタル化された入力信号を受信する段階と、この入力信号の分布を決定する段階と、決定された分布の関数として可変利得増幅器を制御する段階とを有する。
2010515292.tif 000002
【特許請求の範囲】
【請求項１】
マルチキャリア電気通信システムの受信器で使用される自動利得制御の方法であって、
Ａ／Ｄコンバータによってデジタル化された入力信号を受信する段階と、
前記入力信号の分布を決定する段階と、
決定された前記分布の関数として可変利得増幅器を制御する段階と
を有する方法。
【請求項２】
予め前記入力信号の所定の基準分布を記録する段階と、
前記入力信号の前記決定された分布及び前記所定の基準分布に従って前記可変利得増幅器を制御するよう利得誤差を決定する段階と
を更に有する請求項１記載の方法。
【請求項３】
前記分布を決定する段階は、前記入力信号の少なくとも一部分の分布を決定する段階を有する、請求項２記載の方法。
【請求項４】
前記分布を決定する段階は、前記入力信号の２つの部分の分布を決定し、該２つの部分の分布の間の差分を得る段階を有する、請求項２記載の方法。
【請求項５】
前記所定の基準分布を記録する段階は、該所定の基準分布の少なくとも１つのパラメータを記録する段階を有する、請求項２乃至４のうちいずれか一項記載の方法。
【請求項６】
カウンタが、前記分布の確率を得るよう、前記部分で起こった前記入力信号の数をカウントするように構成され、
前記利得誤差は、前記確率及び前記少なくとも１つのパラメータから計算される、請求項５記載の方法。
【請求項７】
カウンタが、前記分布の確率を得るよう、前記部分で起こった前記入力信号の数をカウントするように構成され、
前記利得誤差は、当該利得誤差を前記確率と関連付けるテーブルから得られる、請求項５記載の方法。
【請求項８】
自動利得制御装置を有するマルチキャリア電気通信システムの受信器であって、
前記自動利得制御装置は、
Ａ／Ｄコンバータによってデジタル化された入力信号を受信する手段と、
前記入力信号の分布を決定する手段と、
決定された前記分布の関数として可変利得増幅器を制御する手段と
を有する受信器。
【請求項９】
予め前記入力信号の所定の基準分布を記録する手段と、
前記入力信号の前記決定された分布及び前記所定の基準分布に従って前記可変利得増幅器を制御するよう利得誤差を決定する手段と
を更に有する請求項８記載の受信器。
【請求項１０】
前記分布を決定する手段は、前記入力信号の少なくとも一部分の分布を決定する、請求項９記載の受信器。
【請求項１１】
前記分布を決定する手段は、前記入力信号の２つの部分の分布を決定し、該２つの部分の分布の間の差分を得る、請求項９記載の受信器。
【請求項１２】
前記記録する手段は、前記所定の基準分布の少なくとも１つのパラメータを記録する、請求項９乃至１１のうちいずれか一項記載の受信器。
【請求項１３】
前記自動利得制御装置は、前記分布の確率を得るよう、前記部分で起こった前記入力信号の数をカウントするカウンタを更に有し、
前記利得誤差は、前記確率及び前記少なくとも１つのパラメータから計算される、請求項１２記載の受信器。
【請求項１４】
前記自動利得制御装置は、前記分布の確率を得るよう、前記部分で起こった前記入力信号の数をカウントするカウンタを更に有し、
前記利得誤差は、当該利得誤差を前記確率に関連付ける表から得られる、請求項１２記載の受信器。
【発明の詳細な説明】
【技術分野】
【０００１】
本発明は、概して、自動利得制御（ＡＧＣ）の方法及び装置、より具体的に、マルチキャリア電気通信システムの受信器で使用される自動利得制御の方法及び装置に関する。
【背景技術】
【０００２】
近年、マルチキャリア変調技術は、例えば、電子通信、光通信、有線通信及び無線通信等で、幅広く使用されている。直交周波数分割多重化（ＯＦＤＭ）は、典型的なマルチキャリア変調技術であって、且つ、広域無線通信ネットワークのための極めて有望なアクセス方式である。ＯＦＤＭは、例えば、ＤＶＢ（デジタルビデオ放送）及び無線ＬＡＮ（ローカルエリアネットワーク）等の多数の国際標準によって適合されている。それはまた、例えば、デジタルＴＶ（テレビジョン）放送及び第４世代無線ネットワーク等の将来の広域無線通信システムにとっても有望な技術である。
【０００３】
ＯＦＤＭ受信器で、自動利得制御装置は、入力された信号の利得を制御するために使用される。入力された信号の電力が過大であるか又は低いかのいずれかである場合に、自動利得制御装置は、受信された時間領域ＯＦＤＭ信号の大きさを、Ａ／Ｄコンバータの入力ダイナミックレンジに適合させたままとするように、入力信号の利得を適切なレベルに自動で調整するために使用される。
【０００４】
従って、自動利得制御は、ＯＦＤＭ受信器で極めて必要とされる。既存の自動利得制御方法の大部分は、受信信号の平均電力に基づく。それらは、サンプルの周期から受信信号の平均電力を推定し、推定された平均電力を、受信信号の所望の電力レベルである基準電力と比較する。推定された電力と基準電力との間の差は、ＯＦＤＭ受信器の可変利得増幅器のフロントエンド電力利得を調整するために使用される。
【発明の概要】
【発明が解決しようとする課題】
【０００５】
しかし、このような従来の自動利得制御方法は、それらがＡ／Ｄコンバータによって、そのクリッピング効果のために、影響を及ぼされるという問題を有する。入力信号レベルが所望の電力レベル、すなわち、基準電力よりもずっと高い場合は、入力信号振幅はＡ／Ｄコンバータのダイナミックレンジを越えうる。従来のＡＧＣは、より高い振幅を有する信号がクリップされるために、Ａ／Ｄコンバータの後で正確に信号レベルを推定することができない。従って、Ａ／Ｄコンバータによって導入されるクリッピング効果を考えた場合、従来のＡＧＣは、信号電力を正確に推定し、又は利得誤差を正確に推定することができない。
【０００６】
加えて、従来のＡＧＣは信号電力を正確に推定することができないので、可変利得増幅器の利得は段階的に調整される。結果として、従来のＡＧＣは、より長い調整期間を必要とする。
【０００７】
従って、先行技術に存在する上記の問題を解消するようＡＧＣのための新たな方法及び装置を検討する必要がある。
【０００８】
以上より、本発明は、入力信号の電力を即時に所望のレベルに調整することが可能であり且つ利得を細かく制御することが可能な、入力信号の分布に基づく自動利得制御の方法及び装置を提供することを目的とする。
【課題を解決するための手段】
【０００９】
本発明の１つの様相に従って、マルチキャリア電気通信システムの受信器で使用される自動利得制御の方法であって、Ａ／Ｄコンバータによってデジタル化された入力信号を受信する段階と、前記入力信号の分布を決定する段階と、決定された前記分布の関数として可変利得増幅器を制御する段階とを有する方法が提供される。
【００１０】
本発明の他の様相に従って、自動利得制御装置を有するマルチキャリア電気通信システムの受信器であって、前記自動利得制御装置は、Ａ／Ｄコンバータによってデジタル化された入力信号を受信する手段と、前記入力信号の分布を決定する手段と、決定された前記分布の関数として可変利得増幅器を制御する手段とを有する受信器が提供される。
【００１１】
本発明のこれらの及び他の目的及び利点は、添付の図面に関連する実施形態の以下の記載から明らかとなり、それからより容易に理解されるであろう。
【図面の簡単な説明】
【００１２】
【図１】本発明を理解するのに有用であるＡＧＣ装置を有するＯＦＤＭを示す実例となるブロック図である。
【図２】ＡＧＣ装置を示す実例となるブロック図である。
【図３】Ａ／Ｄコンバータへ送信されるアナログ信号の分布を示す実例となるグラフである。
【図４】Ａ／Ｄコンバータから送信されるデジタル信号の分布を示す実例となるグラフである。
【図５】本発明の実施例に従って受信信号の分布を決定し且つ利得誤差ｃを推定するＡＧＣ装置の処理を示すフローチャートである。
【図６】本発明の例に従って利得誤差ｃを計算する処理を示すフローチャートである。
【図７】本発明の他の例に従って利得誤差ｃを計算する処理を示すフローチャートである。
【発明を実施するための形態】
【００１３】
以下、本発明の様々な実例に従って、本発明の多数の利点／特徴を説明する詳細な記載が、添付の図面を参照して与えられる。なお、当業者には明らかなように、自動利得制御に関してここで記載される発明は、これらの例に限定されず、その用途においてＯＦＤＭ受信器に限定されず、代わりに、自動利得制御を有する如何なるマルチキャリア受信器でも使用され得る。
【００１４】
図１は、ＡＧＣ装置１０５を有するＯＦＤＭ受信器１００を示す実例となるブロック図である。以下、このＯＦＤＭ受信器１００の構成及び動作処理について記載する。
【００１５】
図１に示されるように、ＯＦＤＭ受信器１００は、フィルタ及びミキサ１０１と、可変利得増幅器（ＶＧＡ）１０２と、Ａ／Ｄコンバータ１０３と、復調器１０４と、ＡＧＣ装置１０５とを有する。当業者には当然のことながら、ここに記載されるＯＦＤＭ受信器１００の構成は、単に説明目的のためにすぎず、本発明をこのような構成に限定するものではない。
【００１６】
ＯＦＤＭ受信器１００は、時間領域のＯＦＤＭ信号をアンテナから受信する。受信された時間領域ＯＦＤＭ信号は、最初に、フィルタ及びミキサ１０１を通され、次いで、アナログ信号ｒ（ｎ）を得るようＶＧＡ１０２によって増幅される。次いで、アナログ信号ｒ（ｎ）は、復調器１０４の入力であるデジタル信号ｘ（ｎ）を得るようＡ／Ｄコンバータ１０３へ送信される。復調器１０４によって復調された信号は、ＯＦＤＭ受信器１００から出力される。
【００１７】
ＡＧＣ装置１０５は、受信された時間領域ＯＦＤＭ信号をＡ／Ｄコンバータ１０３の入力ダイナミックレンジに適合させたままとするように、ＶＧＡ１０２のフロントエンド電力利得を自動で制御するために使用される。図２は、ＡＧＣ装置１０５の構成を示す実例となるブロック図である。図２に示されるように、ＡＧＣ装置１０５は、Ａ／Ｄコンバータ１０３からデジタル信号ｘ（ｎ）を受信する手段２０１と、デジタル信号ｘ（ｎ）の分布を決定する手段２０２と、決定された分布の関数としてＶＧＡ１０２の利得を制御する手段２０３とを有する。
【００１８】
理論上は、アナログ信号ｒ（ｎ）は、ＶＧＡ１０２の所望の利得に相当する目標利得によって得られる。しかし、受信信号の増幅処理では、ＶＧＡ１０２の利得は通常、目標利得と相違する。利得誤差ｃは、目標利得に対する現在の利得の比を表すために使用される。
【００１９】
図１に示されるように、Ａ／Ｄコンバータの入力は、ｃ＝１、すなわち所望の状態、の場合にｒ（ｎ）であり、一方、Ａ／Ｄコンバータの入力は、他の状態にある場合にｒ′（ｎ）である。ｒ（ｎ）及びｒ′（ｎ）の関係は以下の通りである：
ｒ′（ｎ）＝ｃ×ｒ（ｎ）                （１）
時間領域ＯＦＤＭ信号ｒ（ｎ）は、０の期待値を有して近似ガウス分布を有することがよく知られている。Ａ／Ｄコンバータの入力ダイナミックレンジが設定される場合に、信号ｒ（ｎ）の分散は、所望の状態でσ２に固定され、次いで、その確率密度関数（ＰＤＦ）は、おおよそ
ｆ（ｒ）＝（１／√（２πσ２））ｅ＾（ｒ２／２σ２）          （２）
である。
【００２０】
Ａ／Ｄコンバータの入力がｒ′（ｎ）である場合、すなわち、他の状態では、その分散はｃ２σ２である。従って、ｒ′（ｎ）のＰＤＦは、
ｆ（ｒ′）＝（１／√（２πｃ２σ２））ｅ＾（ｒ′２／２ｃ２σ２）      （３）
である。
【００２１】
ｒ（ｎ）及びｒ′（ｎ）の分布が図３に示される。ここで、水平軸は信号の振幅を表し、垂直軸は夫々の振幅の分布確率を表す。Ａ／Ｄコンバータの入力ダイナミックレンジは［−ＡＤＲ，＋ＡＤＲ］である。
【００２２】
図３に示されるように、現在の利得が目標利得に等しい場合、すなわち、ｃ＝１である場合は、ｒ（ｎ）は主に［−ＡＤＲ，＋ＡＤＲ］の範囲内に分布する。現在の利得が目標利得より大きい場合、すなわち、ｃ＞１である場合は、ｒ′（ｎ）の分布は［−ＡＤＲ，＋ＡＤＲ］を越える。現在の利得が目標利得より小さい場合、すなわち、ｃ＜１である場合は、ｒ′（ｎ）は、［−ＡＤＲ，＋ＡＤＲ］よりも狭いダイナミックレンジ範囲内に分布する。
【００２３】
アナログ信号ｒ（ｎ）又はｒ′（ｎ）は、Ａ／Ｄコンバータ１０３の後ではデジタル信号ｘ（ｎ）又はｘ′（ｎ）に変換されており、次いで、ｘ（ｎ）又はｘ′（ｎ）は、夫々、［−ＡＤＲ，＋ＡＤＲ］でｒ（ｎ）又はｒ′（ｎ）と同じ分布を有する。しかし、Ａ／Ｄコンバータによるクリッピング効果のために、ｃ＞１である場合に、ｘ′（ｎ）は、±ＡＤＲでｒ′（ｎ）を上回って分布し、［−ＡＤＲ，＋ＡＤＲ］の外では存在しない。このような状態でのｒ′（ｎ）及びｘ′（ｎ）の分布は、図４が示すとおりである。
【００２４】
この場合に、分布は、前述の分布に基づく本発明の原理、及びＡＧＣ装置１０５の特定の動作処理を表すよう与えられている。図５は、受信された信号の分布を決定し、利得誤差ｃを推定するＡＧＣ装置１０５の処理を示すフローチャートである。
【００２５】
図５に示されるように、ステップＳ１で、所定の基準分布が記録される。この所定の基準分布は、所望の状態での分布である。本発明の実施例で、所定の基準分布のパラメータ、例えば、分散σ２等が記録される。留意すべきは、所望の条件での他のパラメータ、例えば、選択された閾範囲及びその中の確率等がまた、記録されてよい点である。
【００２６】
例えば、閾値の範囲が選択される場合に、この選択されている範囲の間の確率Ｐは、以下：
【数１】
2010515292.tif 000003
のように、式（１）に従って計算され得る。
【００２７】
他方で、−ＴＨからＴＨの間の確率Ｐは、例えば５０％又は６０％のように、最初に選択され得、次いで、閾値ＴＨは、以下：
【数２】
2010515292.tif 000004
のように、式（１）に従って計算され得る。
【００２８】
そのσ２は知られているので、閾値ＴＨは、ＴＨ＝０．６７４５σのように計算され得る。
【００２９】
以下、分散σ２が記録される場合の処理ステップについて詳細に説明する。
【００３０】
ステップＳ２で、カウントされる信号ｘ′（ｎ）の分布の一部が選択される。本発明の原理に従って、この分布の部分は、必要に応じて選択されてよい。例えば、−ＴＨから０まで、又は０からＴＨまでの信号値の範囲を有するｘ′（ｎ）の分布が選択されてよく、この場合に、閾値ＴＨは信号の既知の振幅である。望ましくは、−ＴＨからＴＨまでの対称範囲を有するｘ′（ｎ）の分布が、カウントされる分布として選択されてよい。
【００３１】
留意すべきは、ＡＤＲから−ＡＤＲまで、−ＡＤＲから０まで、及び０からＡＤＲまでの範囲は、その確率が１００％又は５０％で一定であることから選択され得ない点である。加えて、望ましくは、選択される範囲は、ｃ＜１である場合には０からほど遠い分布がないことから、値０に近い。以上より、分布の他の範囲及びいずれかの部分の全ては、本発明の原理に従って選択され得る。
【００３２】
しかし、当業者には明らかなように、確率Ｐ及び対応する閾値がＳ１で記録される場合に、Ｓ２で選択される範囲は、Ｓ１での閾範囲と同じであるべきである。
【００３３】
次いで、ステップＳ３で、Ａ／Ｄコンバータからデジタル信号ｘ′（ｎ）が受信される。ステップＳ４で、選択された範囲内にある受信信号ｘ′（ｎ）の数ｎがカウントされる。ステップＳ５で、選択された範囲でのｘ′（ｎ）の確率Ｐ′は、カウント数ｃを総数Ｎで割ることによって得られる。すなわち、Ｐ′＝ｎ／Ｎである。
【００３４】
次いで、ステップＳ６で、利得誤差ｃは、下記の式（６）：
【数３】
2010515292.tif 000005
に従う確率Ｐ′に従って計算される。確率Ｐ′は、ＶＧＡ１０２を制御するために使用される。
【００３５】
確率Ｐ′が得られるとき、閾値ＴＨ及び分散σ２が知られていることから、利得誤差ｃは上記の式から計算され得る。
【００３６】
例えば、閾値−ＴＨからＴＨ及びＰ＝５０％が選択される場合に、上記の式に従って、確率Ｐ′は：
【数４】
2010515292.tif 000006
である。ここで、
【数５】
2010515292.tif 000007
である。
【００３７】
次いで、利得誤差ｃが計算され得、ＡＧＣ装置１０５は、この利得誤差ｃをＶＧＡ１０２のフロントエンドに適用して、その利得を調整する。
【００３８】
加えて、確率Ｐ及び対応する閾値がＳ１で記録される場合に、確率Ｐは、利得誤差ｃを得るよう確率Ｐ′と比較され得る。利得誤差ｃの計算式は、上記式から推測され得る。従って、これらの式及び処理ステップについての記載は省略する。
【００３９】
本発明の原理に基づく特定の処理が先で記載されているが、それは本発明の限定であるとは考えられない。例えば、上述されるように、ＯＦＤＭ受信器は、本発明の実施例を表すよう適合される。しかし、マルチキャリア変調を有する他の受信器も適合され得ることは、当業者には明らかである。加えて、ｘ（ｎ）の分布の一部は、利得誤差を得るよう選択される。しかし、利得誤差を計算するよう複数の部分を選択することは、当業者には明らかであり、それに対応する式は、また、上記式に従って推測され得る。
【００４０】
以下は、本発明の自動利得制御に基づく具体例である。
【００４１】
［例１］
ここでは、自動利得制御の方法及び装置がどのように働くかについて記載する。この例で、カウントの総数はＮであり、例えば、Ｎ＝１０２４である。また、閾値−ＴＨからＴＨ及びＰ＝５０％が選択される。従って、ＴＨは０．６７４５σに等しいことが、上記の式から分かる。
【００４２】
カウンタは、ｘ′（ｎ）の分布を推定するために用いられる。図６は、利得誤差ｃを推定する処理を示すフローチャートである。ステップＳ１１で、自動利得制御装置は、デジタル信号ｘ′（ｎ）を受信する。ステップＳ１２で、受信されたデジタル信号の信号値が選択された範囲、すなわち、−０．６７４５σから０．６７４５σの範囲にあるかどうかが決定される。結果が肯定である場合は、ステップＳ１３で、カウンタｎは１を加える。次いで、処理はステップＳ１４に進み、総回数がＮ回に達したかどうかが決定される。結果が否定である場合は、処理はステップＳ１１に戻る。そうでない場合は、ステップＳ１５で、利得誤差ｃはカウント数ｎから計算される。上述されるように、Ｐ′＝ｎ／Ｎであり、その場合に、式（６）及び記録された分散σ２に従って、利得誤差ｃは得られる。
【００４３】
［例２］
本発明の原理に従って、利得誤差ｃを得るよう、分布の２つの部分を選択して、分布の一部分と分布の他の部分との間の確率差を得ることも可能である。
【００４４】
図４に示されるように、信号の分布は、範囲Ｉと呼ばれる範囲［−ＴＨ，＋ＴＨ］内で幾つかの部分に分けられる。また、その範囲の外側は、範囲ＩＩと呼ばれる。ＴＨの値は、上述されるように、範囲Ｉ及びＩＩでのｘ（ｎ）の確率が全て０．５であり、ＴＨ＝０．６７４５σであることを満足する。代替的に、ｘ（ｎ）の他の確率、例えば、範囲Ｉでの０．６及び範囲ＩＩでの０．４等が使用される。しかし、留意すべきは、対照的な２つの範囲は選択されるべきでない点である。これは、それらの確率差が０であるためである。対応する式は、上記式から推測され得る。範囲Ｉ及び範囲ＩＩでのｘ（ｎ）の確率は、夫々、Ｐｉｎ及びＰｏｕｔと呼ばれる。その場合に、基準分布は
Ｐｉｎ＝Ｐｏｕｔ＝０．５                （９）
又は
Ｐｉｎ−Ｐｏｕｔ＝０                    （１０）
である。
【００４５】
カウンタは、現在のデジタル信号ｘ′（ｎ）の分布を推定するために用いられる。ｘ′（ｎ）のサンプルが範囲Ｉにある場合は、カウンタは１を加え、そうでない場合は、カウンタは−１を加える。カウンタは、最終結果ｎを得るようＮ回動作する。例えば、Ｎ＝１０２４である。かかる動作のフローチャートは、図７に示されている。
【００４６】
ｃ＝１の場合は、ｎは０に近く、ｃ＞１の場合は、ｎは０よりもずっと小さく、ｃ＜１である場合は、ｎは０よりもずっと大きい。実際には、ｃとｎとの関係は、以下のように計算され得る。
【００４７】
Ｐｉｎ及びＰｏｕｔの確率は：
【数６】
2010515292.tif 000008
である。その場合に、
【数７】
2010515292.tif 000009
である。
【００４８】
従って、現在のデジタル信号ｘ′（ｎ）をカウントして、確率Ｐｉｎ−Ｐｏｕｔを得た後、結果は：
ｎ＝（Ｐｉｎ−Ｐｏｕｔ）×Ｎ
＝［１−４×ｅｒｆｃ（０．６７４５／ｃ）］×Ｎ          （１４）
である。
【００４９】
結果的に、ＡＧＣ装置は、式（１４）を用いることによってｃを推定することができる。複雑さを減らすよう、表が、ｃを確率と関連付けるよう作成され得る。このように、ＡＧＣ装置は、即時にｃをｎから推定するよう、その表を参照することができる。
【００５０】
上述されるように、本発明の実施例は、可変利得増幅器を制御するように、利得誤差を推定するために分布を使用するので、Ａ／Ｄコンバータのダイナミックレンジによって影響を及ぼされ得ない。従って、本発明の実施例は、利得誤差を正確に推定し、可変利得増幅器を即時に制御する点で有利である。加えて、本発明の原理に従って、例えば実際の利得又は係数等、利得誤差に関連する他の基準を用いて可変利得増幅器を制御することは、当業者には明らかである。かかる基準は、上記の処理及び式に従って計算を行うことによって得られる。
【００５１】
本発明は、ハードウェア、ソフトウェア、又はハードウェア及びソフトウェアの組合せで実現され得る。ハードウェア及びソフトウェアの典型的な組合せは、プログラムを内蔵するＦＰＧＡであってよい。
【００５２】
以上、本発明の原理について説明してきたが、当然、ここに記載されたものに限らず、当業者は、本発明の原理を具現し且つその技術的範囲内にある多数の代替の配置を考え出すことができる。当然のことながら、多数の変形が実施例に対して行われてよく、他の配置は、添付の特許請求の範囲によって定義される本発明の技術的範囲から逸脱することなく考えられてよい。
【図１】
2010515292.tif 000010
【図２】
2010515292.tif 000011
【図３】
2010515292.tif 000012
【図４】
2010515292.tif 000013
【図５】
2010515292.tif 000014
【図６】
2010515292.tif 000015
【図７】
2010515292.tif 000016
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
マルチキャリア電気通信システムの受信器で使用される自動利得制御の方法であって、
Ａ／Ｄコンバータによってデジタル化された入力信号を受信する段階と、
前記デジタル化された入力信号の分布を決定する段階と、
決定された前記分布の関数として可変利得増幅器を制御する段階と
を有する方法。
【請求項２】
予め前記デジタル化された入力信号の所定の基準分布を記録する段階と、
前記デジタル化された入力信号の前記決定された分布及び前記所定の基準分布に従って前記可変利得増幅器を制御するよう利得誤差を決定する段階と
を更に有する請求項１記載の方法。
【請求項３】
前記分布を決定する段階は、前記デジタル化された入力信号の少なくとも一部分の分布を決定する段階を有する、請求項２記載の方法。
【請求項４】
前記分布を決定する段階は、前記デジタル化された入力信号の２つの部分の分布を決定し、該２つの部分の分布の間の差分を得る段階を有する、請求項２記載の方法。
【請求項５】
前記所定の基準分布を記録する段階は、該所定の基準分布の少なくとも１つのパラメータを記録する段階を有する、請求項２乃至４のうちいずれか一項記載の方法。
【請求項６】
カウンタが、前記分布の確率を得るよう、前記部分で起こった前記デジタル化された入力信号の数をカウントするように構成され、
前記利得誤差は、前記確率及び前記少なくとも１つのパラメータから計算される、請求項５記載の方法。
【請求項７】
カウンタが、前記分布の確率を得るよう、前記部分で起こった前記デジタル化された入力信号の数をカウントするように構成され、
前記利得誤差は、当該利得誤差を前記確率と関連付けるテーブルから得られる、請求項５記載の方法。
【請求項８】
自動利得制御装置を有するマルチキャリア電気通信システムの受信器であって、
前記自動利得制御装置は、
Ａ／Ｄコンバータによってデジタル化された入力信号を受信する手段と、
前記デジタル化された入力信号の分布を決定する手段と、
決定された前記分布の関数として可変利得増幅器を制御する手段と
を有する受信器。
【請求項９】
予め前記デジタル化された入力信号の所定の基準分布を記録する手段と、
前記デジタル化された入力信号の前記決定された分布及び前記所定の基準分布に従って前記可変利得増幅器を制御するよう利得誤差を決定する手段と
を更に有する請求項８記載の受信器。
【請求項１０】
前記分布を決定する手段は、前記デジタル化された入力信号の少なくとも一部分の分布を決定する、請求項９記載の受信器。
【請求項１１】
前記分布を決定する手段は、前記デジタル化された入力信号の２つの部分の分布を決定し、該２つの部分の分布の間の差分を得る、請求項９記載の受信器。
【請求項１２】
前記記録する手段は、前記所定の基準分布の少なくとも１つのパラメータを記録する、請求項９乃至１１のうちいずれか一項記載の受信器。
【請求項１３】
前記自動利得制御装置は、前記分布の確率を得るよう、前記部分で起こった前記デジタル化された入力信号の数をカウントするカウンタを更に有し、
前記利得誤差は、前記確率及び前記少なくとも１つのパラメータから計算される、請求項１２記載の受信器。
【請求項１４】
前記自動利得制御装置は、前記分布の確率を得るよう、前記部分で起こった前記デジタル化された入力信号の数をカウントするカウンタを更に有し、
前記利得誤差は、当該利得誤差を前記確率に関連付ける表から得られる、請求項１２記載の受信器。
【国際調査報告】
2010515292.tif 000017
2010515292.tif 000018